(57)【要約】      （修正有）【課題】非常時に屎尿袋を探す手間がかからず、且つ、屋内特に便所内の美観を損ねることもないようにした屎尿袋収納具を提供する。【解決手段】屎尿袋２を収納する箱体３に屋内の壁面への取付用手段３Ｅ，３Ｆを設けるとともに、箱体３の正面側に箱体３に対する視認を妨げる絵画等の表示物を保持するための枠体５を結合する。【選択図】図3
0003102232.tif 000002
【実用新案登録請求の範囲】
【請求項１】
屎尿袋を収納する箱体に屋内の壁面への取付用手段を設けるとともに、前記箱体の正面側に前記箱体に対する視認を妨げる絵画等の表示物を保持するための枠体を結合したことを特徴とする屎尿袋収納具。
【請求項２】
前記箱体に前記枠体を着脱自在に結合したことを特徴とする請求項１に記載の屎尿袋収納具。
【考案の詳細な説明】
【技術分野】
【００１】
【００２】  本考案は災害等の非常時に使用するのに適した屎尿袋収納具に関する。
【背景技術】
【００３】  地震等の災害、渇水等の非常時に断水によって水洗便所を使用できなくなった場合に備えて、排泄した屎尿を一時的に貯留しておくためのポリエチレン製等の屎尿袋が提案、使用されている。この屎尿袋は、通常、複数枚を一組として袋に収納して提供され、購入者はその状態でこれを便所以外の屋内の適当な戸棚等に収納して保管しておくのが普通である。このような屎尿袋については、例えば、船山株式会社発行の「防災・避難用品カタログ」（非特許文献１）中に「排便収納袋」として示されている。
【非特許文献１】「防災・避難用品カタログ」（船山株式会社、発行年月不祥、第２９ページ）
【考案の開示】
【００４】
【考案が解決しようとする課題】
【００５】  前述のような形で屎尿袋を保管している場合、水洗便所が使用できなくなり、緊急に屎尿袋を使用する必要が生じたときに、屎尿袋の保管場所を失念していたりして探すのに非常に手間取ることが少なくない、という問題があった。また、そのような屎尿袋は、未使用であっても、屋内特に便所内の適当な場所に置くのは、美観上好ましくないという問題もあった。
【００６】  本考案は、前述のような問題点を解決するためになされたもので、前述のような非常時に屎尿袋を探す手間がかからず、且つ、屋内特に便所内の美観を損ねることもないようにした屎尿袋収納具を提供することを目的とする。本考案は、また、構成要素の一部を便座として使用することもできるようにした屎尿袋収納具を提供することを目的とする。
【課題を解決するための手段】
【００７】  前記の目的を達成するために、本考案は、次のように構成したことを特徴とする。即ち、請求項１に記載の屎尿袋収納具は、屎尿袋を収納する箱体に屋内の壁面への取付用手段を設けるとともに、前記箱体の正面側に前記箱体に対する視認を妨げる絵画等の表示物を保持するための枠体を結合したことを特徴とする。
【００８】  請求項２に記載の屎尿袋収納具は、請求項１に記載の屎尿袋収納具において、前記箱体に前記枠体を着脱自在に結合したことを特徴とする。
【考案を実施するための最良の形態】
【００９】  請求項１に記載の屎尿袋収納具は、屎尿袋を収納する箱体に屋内の壁面への取付用手段を設けるとともに、前記箱体の正面側に前記箱体に対する視認を妨げる絵画等の表示物を保持するための枠体を結合したことにより、屋内特に便所内の壁面に取り付けておくことができるので、前述のような非常時に屎尿袋を探す手間がかからず、且つ、屎尿袋を収納する箱体の表面にこれを視認できないように絵画等を掲示できるので、屋内特に便所内の美観を損なうこともないという効果を奏する。
【００１０】  請求項２に記載の屎尿袋収納具は、請求項１に記載の屎尿袋収納具において、前記箱体に前記枠体を着脱自在に結合したことにより、請求項１による効果に加えて、前記枠体を、前記箱体から取り外して、屎尿袋の使用時に屎尿袋を保持しながら便座としても使用することができるので、排泄の前後における屎尿袋の取り扱いに、より手間がかからないという効果を奏するものである。
【考案を実施するための最良の形態】
【００１１】  以下、図面を参照しながら、本考案を実施するための最良の形態について説明する。図１は本考案の実施の形態の一つに係る屎尿袋収納具を示す図２中Ａ−Ａ線側面断面図、図２は前記屎尿袋収納具の正面図、図３は前記屎尿袋収納具の背面図、図４は前記屎尿袋収納具における箱体の正面図、図５は前記屎尿袋収納具における枠体の背面図、図６は前記屎尿袋収納具によって掲示する表示物の一例を示す正面図である。【００１２】  図示のように、本考案の屎尿袋収納具１は、例えばポリエチレン製の屎尿袋２を複数枚収納する箱体３と、箱体３の正面側に結合した枠体５とからなっている。より詳しく述べると、箱体３は例えばプラスチックからなり、屎尿袋２を効率的に収納できるように例えば四角形に構成され、本体部３Ａと蓋部３Ｂとからなっている。蓋部３Ｂは、本体部３Ａとの間に設けた留め金３Ｃの係合又は離脱によって本体部３Ａに対して蝶番３Ｄを中心として開閉自在になっている。蓋部３Ｂの周縁部近傍には、図３に示すように、屋内例えば便所内の壁面への取付用手段として、横方向の辺と縦方向の辺のそれぞれに沿って各１つの小穴３Ｅ，３Ｆが穿設されており、この小穴３Ｅ又は３Ｆに、例えば、壁面に取り付けられたフック状の金具、又は、壁面に固定された吊り下げ紐に取り付けられた金具等（図示せず）を差し込むことにより、箱体３を壁面に取り付ける即ち掛けることができるようになっている。【００１３】  このような箱体３に枠体５が着脱自在に結合されている。即ち、枠体５は、枠体５とともに、箱体３に対する視認を妨げるように後述の絵画等の表示物を保持して穴５Ａから絵画等が見えるようにするためのもので、例えばプラスチック又は木材を長円形で環状に加工して、形成されている。枠体５をこのような環状の形態にしたのは、後述するように、枠体５を洋式便器における馬蹄形又は環状形の便座に載置するときに前記便座のくぼみへのおさまりを良くするためであるほか、枠体５を前記便器ではなく、上部が開いた何らかの容器に載せて便座として使用するときに大腿への当たりを軽減するためである。また、枠体５は、箱体３の外形よりも大きな外形寸法にして、箱体３が枠体５の背後に隠れるようにしてある。【００１４】  このような箱体３と枠体５とは、前記本体部３Ａの正面側の周縁部近傍及び枠体５の背面側の周縁部近傍にそれぞれ固着した面ファスナー７，８同士の係合又は離脱によって、着脱が可能になっている。この面ファスナー７，８は次の述べるように表示物を保持する役目をも果たしている。【００１５】  このように構成された屎尿袋収納具１は次のようにして使用する。即ち、留め金３Ｃを外して箱体３の蓋部３Ｂを開いて箱体３内に屎尿袋２を収納し、蓋部３Ｂを閉じた後、図６に示すように、例えば絵画の描かれた表示物としての用紙９の四隅を折り畳み又は切除して形成した各斜辺９Ａを各面ファスナー７，８で支持するようにする。その状態で箱体３側の面ファスナー７と枠体５側の面ファスナー８とを圧着して係合させて枠体５を箱体３に結合することにより、用紙９を箱体３と枠体５との間に保持する。次いで、別途便所の壁に取り付けたフック状の金具を例えば前記の横方向の辺に沿った穴３Ｅに差し込むこと��より、屎尿袋収納具１を壁に掛けておけば、枠体５の穴５Ａから用紙９の絵画が露出しているので、横長の額縁に収めた絵画を壁に掛けたのと同様な雰囲気となる。【００１６】  そして、災害等による断水のため水洗便所が使用できなくなったときは、箱体３の穴３Ｅから前記金具を外して、屎尿袋収納具１を壁から取り外し、箱体３の蓋部３Ｂを開いて取り出した屎尿袋２の開口縁部を洋式便器の便座に巻き付けるとともに屎尿袋２を便器内に垂らして、屎尿袋２内に屎尿を排泄する。排泄終了後、排泄物の入った屎尿袋２は開口部を封止して、適宜の場所に保管する。そして、箱体３の蓋部３Ｂを閉めて、再び前述のようにして屎尿袋収納具１を壁に掛ける。【００１７】  このように屎尿袋２を収納した屎尿袋収納具１を屋内特に便所内の壁に掛けておけば、その場所が屎尿袋２の保管場所になるから、屎尿袋２を使用する必要が生じたときに、いちいち探す手間がかからず、直ちに使用することができ、極めて便利である。しかも、屎尿袋収納具１を壁に掛けてある状態では、枠体５及び枠体５から見えている絵画等によって箱体３が隠されて目障りにならないから、美観上も好都合である。【００１８】  また、屎尿袋収納具１は次のようにして使用することもできる。即ち、屎尿袋２を使用する必要が生じた時に、前述のように屎尿袋収納具１を壁から外して箱体３を開いて屎尿袋２を取り出した後、面ファスナー同士７，８を離脱させて枠体５を箱体３から取り外し、枠体５に屎尿袋２の開口縁部を巻き付けた後、枠体５を便器の便座にそのくぼみに合わせて載せるようにする。その状態で、枠体５及び便座に腰掛けて屎尿袋２内に排泄した後、屎尿袋２を枠体５より取り外す。次いで、面ファスナー７，８同士を係合させて枠体５を箱体３に結合して、屎尿袋収納具１を壁に掛けるようにする。【００１９】  屎尿袋２は、このように枠体５に対して取り付け、取り外しをするほうが、便器の便座に対してよりも容易であるから、排泄に際して屎尿袋２の取り扱いに手間がかからないという利点がある。【００２０】  更に、屎尿袋収納具１は、前述のように箱体３より取り外して屎尿袋２を取り付けた枠体５を、例えば古新聞収納ストッカーのような上部が開いた適宜の容器に載せて屎尿袋２を前記容器内に垂らすようにして、使用することもできる。【００２１】  このようにすると、なんらかの理由により便器が使用できない場合でも、屎尿の排泄が簡単にできて好都合である。【００２２】  なお、前記実施の形態においては、枠体５によって絵画を掲示しているが、絵画に代えて写真、イラスト等を掲示するようにしてもよい。また、屎尿袋収納具１は横長の位置で壁に掛ける例を示したが、前記蓋部３Ｂのもう一方の穴３Ｆを利用して壁に縦長となるように掛けることもできる。更に、前記箱体３と枠体５とは、面ファスナー７，８により着脱するようにしたが、箱体３及び枠体５の一方に凹部を、他方に前記凹部に嵌合する突起を設けて、着脱を行うようにしてもよい。
【図面の簡単な説明】
【図１】本考案の実施の形態の一つに係る屎尿袋収納具を示す図２中Ａ−Ａ線側面断面図
【図２】前記屎尿袋収納具の正面図
【図３】前記屎尿袋収納具の背面図
【図４】前記屎尿袋収納具における箱体の正面図
【図５】前記屎尿袋収納具における枠体の背面図
【図６】前記屎尿袋収納具によって掲示する表示物の一例を示す正面図
【符号の説明】
１  屎尿袋収納具
２  屎尿袋
３  箱体
３Ｅ，３Ｆ  小穴
５  枠体
【図１】
0003102232.tif 000003
【図２】
0003102232.tif 000004
【図３】
0003102232.tif 000005
【図４】
0003102232.tif 000006
【図５】
0003102232.tif 000007
【図６】
0003102232.tif 000008